(57)【要約】【課題】製造が容易でありながら耐久性に優れ、最小の薄さで携帯や収納を可能にする、それぞれ異なる尺度のスケールを具備する複列スケールを提供する、【解決手段】複列スケール１０は、それぞれ透明な帯状部分５ａｂ、５ｂｃ、５ｃｄ、５ｄｅ、５ｅｆ、５ｆｇを空けて、それぞれ異なる尺度の矩形状のスケール１ａ、１ｂ、１ｃ、１ｄ、１ｅ、１ｆ、１ｇが配置（貼付、印刷、転写等）されたものである。したがって、所定尺度の被測定物に複列スケール１０を載置して、所定の透明な帯状部分５ａｂ等から所定の二点を覗けば、当該二点間の距離を知ることができる。【選択図】図１
0003139228.tif 000002
【実用新案登録請求の範囲】
【請求項１】
それぞれ異なる尺度の目盛りが付されている複数のスケールが、同一面内に互いに透明な帯状部分を設けて配置されていることを特徴とする複列スケール。
【請求項２】
それぞれ異なる尺度の目盛りが付されている複数のスケールが、所定の間隔を設けて透明板に表示されていることを特徴とする複列スケール。
【考案の詳細な説明】
【技術分野】
【０００１】  本考案は複列スケール、特に、それぞれ異なる尺度の目盛りが付されているスケールを複数列有する複列スケールに関する。
【背景技術】
【０００２】  従来、各面に異なる尺度の目盛りが付されている三角スケールは、嵩張って携帯に不便であるため、３枚以上の帯板状の目盛り板を連結部材に略放射状に接続し、該連結部材において折り曲げ可能にした複合スケールが開示されている（例えば、特許文献１参照）。【０００３】
【特許文献１】特開２００２−３０３５０１号公報（第２−３頁、図１）
【考案の開示】
【考案が解決しようとする課題】
【０００４】  しかしながら、前記特許文献１に開示された複合スケールは、複数枚の目盛り板を連結部材に接続する作業が困難であると共に、連結部材自体や接続部が破断するおそれがあるという問題があった。このため、実際は、５枚以上の目盛り板を連結することは困難になり、１０種類以上の尺度を有する複合スケールの製造が困難であるという問題があった。さらに、最も薄くしても目盛り板の厚さ２枚分の厚さになるため、携帯性や収納性の改善が要請されていた。【０００５】  本考案はかかる問題に鑑み、製造が容易でありながら耐久性に優れ、かつ、最小の薄さで携帯や収納を可能にするスケール（本考案において「複列スケール」と称す）を提供することを目的とする。
【課題を解決するための手段】
【０００６】  （１）本考案の複列スケールは、それぞれ異なる尺度の目盛りが付されている複数のスケールが、同一面内に互いに透明な帯状部分を設けて配置されていることを特徴とする。
（２）また、それぞれ異なる尺度の目盛りが付されている複数のスケールが、所定の間隔を設けて透明板に表示されていることを特徴とする。
【考案の効果】
【０００７】  本考案の複列スケールは以下の効果を奏する。（ｉ）同一面内に複数列のスケールを配置（例えば、貼付、印刷、転写等）して、スケール同士の境界に透明な帯状部分を設けて配置するだけであるから、製造が容易である。（ｉｉ）同一面内に配置するスケールの列数に制限がないから、それぞれ所望の尺度を具備する、所望の数のスケールが配置されたシート状（板状）スケールを得ることができる。（ｉｉｉ）薄くすることができるから、携帯や収納が容易になる。（ｉｖ）折り曲げる必要がないから、耐久性に優れている。
【考案を実施するための最良の形態】
【０００８】  ［実施の形態］
図１は本考案の実施の形態に係る複列スケールを示す平面図である。図１において、複列スケール１０は、透明なシートに矩形状のスケール１ａ、１ｂ、１ｃ、１ｄ、１ｅ、１ｆ、１ｇを、それぞれ所定間隔の隙間（透明な帯状部分に相当する）５ａｂ、５ｂｃ、５ｃｄ、５ｄｅ、５ｅｆ、５ｆｇを空けて配置（貼付、印刷、転写等）したものである。【０００９】  すなわち、スケール１ａは、上辺に沿って目盛り２ａと、目盛り２ａに沿って所定間隔で目盛り数値３ａ（０、１、２・・・）と、が付されている。スケール１ｂは、上辺に沿って目盛り２ｂと、目盛り２ｂに沿って所定間隔で目盛り数値３ｂ（０、１０、２０・・・）と、スケール１ｂの尺度を示す尺度数値４ｂ（１／６００）と、が付されている。そして、スケール１ａの下辺とスケール１ｂの上辺との境界に、所定幅の透明な帯状部分５ａｂが設けられている。【００１０】  また、スケール１ｃは、上辺に沿って目盛り２ｃと、目盛り２ｃに沿って所定間隔で目盛り数値３ｃ（０、１０、２０・・・）と、スケール１ｃの尺度を示す尺度数値４ｃ（１／５００）と、が付されている。そして、スケール１ｂの下辺とスケール１ｃの上辺との境界に、所定幅の透明な帯状部分５ｂｃが設けられている。【００１１】  以下、同様に、スケール１ｄ、１ｅ、１ｆ、１ｇには、それぞれ、目盛り２ｄ、２ｅ、２ｆ、２ｇと、目盛り数値３ｄ、３ｅ、３ｆ、３ｇと、尺度数値４ｄ（１／４００）、４ｅ（１／３００）、４ｆ（１／２００）、４ｇ（１／１００）と、が付され、それぞれの間に、透明な帯状部分５ｃｄ、５ｄｅ、５ｅｆ、５ｆｇが設けられている。【００１２】  したがって、例えば、縮尺１／５００である被測定物（例えば、地図等）に複列スケール１０を載置して、測定しようとする二点が透明な帯状部分５ｂｃになるようにすれば、縮尺１／５００であるスケール１ｃの目盛り数値３ｃによって、当該二点間の距離を知ることができる。同様に、例えば、縮尺１／２００である被測定物（例えば、地図等）に複列スケール１０を載置して、測定しようとする二点が透明な帯状部分５ｅｆになるようにすれば、縮尺１／２００であるスケール１ｆの目盛り数値３ｆによって、当該二点間の距離を知ることができる。【００１３】  以上のように、複列スケール１０は、透明なシートに矩形状のスケール１ａ、１ｂ等をそれぞれ所定間隔の隙間（透明な帯状部分に相当する）５ａｂ等を空けて配置（貼付、印刷、転写等）したものであるから、製造が容易である。また、シート状（板状）のまま携帯や収納、さらに測定が可能であるから、利便性が向上すると共に、折り曲げる必要がないから、耐久性に優れている。【００１４】  なお、本考案は図示する構成に限定するものではなく、スケール１ａ、１ｂ等の各々の大きさ（長さ、幅、厚さ）やそれらの数量（列数）、およびそれぞれの尺度（縮尺）は適宜選定されるものである。また、透明な帯状部分５ａｂ、５ｂｃ等の大きさ（幅、厚さ）は適宜選定されるものである。また、目盛り２ａ、２ｂ等はメートル単位系に限定するものではなく、インチ単位系であってもよい。【００１５】  さらに、スケール１ａ、１ｂ等は片面からのみ視認されるものに限定するものではなく、両面から視認可能に���てもよいし、スケール１ａ、１ｂ等の裏面にスケール１ａ、１ｂ等とは相違する尺度のスケールを設けてもよい。また、矩形状のスケール１ａ、１ｂ等を所定幅の透明なシート（透明な帯状部分に相当する）５ａｂ等によって接続してもよい。
【産業上の利用可能性】
【００１６】  本考案は以上の構成であるから、異なる目盛りが付されている複数のスケールを有する複列スケール（マルチスケール）として広く利用することができる。
【図面の簡単な説明】
【００１７】
【図１】本考案の実施の形態に係る複列スケールを示す平面図。
【符号の説明】
【００１８】  １：スケール、２：目盛り、３：目盛り数値、４：尺度数値、５：透明な帯状部分、１０：複列スケール。
【図１】
0003139228.tif 000003